(57)【要約】【課題】磁気テープへの磁気記録を禁止するためのライトプロテクト部材の磁気記録可能位置と磁気記録不可位置との間の安定した摺動操作性を確保する。【解決手段】磁気テープ６を巻装した単一のリール７を回転可能に収容する上下ケース2,3 によるカートリッジケース４を備え、ライトプロテクト部材13は摺動本体30の外面にカートリッジケース４の一側面に開口する操作窓21に臨む操作部32を有し、カートリッジケース４には、ライトプロテクト部材13の操作部がカートリッジケース４内方へ押圧されたときに摺動本体30の内側面31aに当接し、摺動本体30が上方へ移動した際には摺動本体30の水平壁33に当接して、摺動本体30のカートリッジケース４内方及び上方への移動量を規制する規制リブ27を、摺動本体30の摺動方向に沿って延設する。【選択図】図４
2006079819.tif 000002
【特許請求の範囲】
【請求項１】
磁気テープを巻装した単一のリールを回転可能に収容した、下ケース及び該下ケースの上部に重ね合わせられた上ケースからなるカートリッジケースを備え、該カートリッジケースに、磁気テープへの磁気記録を禁止するためのライトプロテクト部材が摺動自在に配設されてなる磁気テープカートリッジにおいて、
前記ライトプロテクト部材は、その摺動本体の外面に、磁気記録可能な第１位置と磁気記録不能な第２位置とに操作する操作部を前記カートリッジケースの一側面に開口する操作窓に臨んで備えていると共に、前記摺動本体の底部に、前記下ケースの底壁に摺動方向に延びて開口する底窓部に挿入されて該底窓部内を移動する突起を備え、
前記摺動本体を前記第１位置及び前記第２位置にそれぞれ弾性的に係止する係止手段が前記カートリッジケースと前記摺動本体との間に設けられ、
前記カートリッジケースには、前記ライトプロテクト部材の操作部がカートリッジケース内方へ押圧されたときには前記摺動本体の内側面に当接し、前記摺動本体が上方へ移動した際には該摺動本体の水平壁に当接して、該摺動本体のカートリッジケース内方及び上方への移動量を規制する規制リブが、前記摺動本体の摺動方向に沿って延設されてなることを特徴とする磁気テープカートリッジ。
【請求項２】
前記規制リブには勾配が設けられてなることを特徴とする請求項１記載の磁気テープカートリッジ。
【請求項３】
前記規制リブの勾配は該規制リブの前後平面部に設けられてなることを特徴とする請求項２記載の磁気テープカートリッジ。
【発明の詳細な説明】
【技術分野】
【０００１】
本発明は、カートリッジケース内に磁気テープが巻装された単一のリールを回転可能に収容した磁気テープカートリッジに関し、特に、磁気テープへの磁気記録を禁止するためのライトプロテクト部材を備えた磁気テープカートリッジに関するものである。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープに磁気記録が行われないように、記録可能位置と記録不可位置とに移動操作されるライトプロテクト部材が設置される。
【０００３】
例えば、上記ライトプロテクト部材としては、平板状のスライド部材がカートリッジケースの側面（後端面）に組み付けられ、このライトプロテクト部材を記録不可位置に操作した際には、該部材に設けた凹部の位置をドライブ側のセンサ部材の当接によって検出し、磁気テープへの書き込みを禁止するように構成されたものが知られている。
【発明の開示】
【発明が解決しようとする課題】
【０００４】
しかして、前述のようなライトプロテクト部材をカートリッジケースに設置する場合に、カートリッジケースのドライブ装置への挿入方向の後端面にライトプロテクト部材を設け、このライトプロテクト部材の位置すなわち記録可能位置か記録不能位置かの検出を、カートリッジケースの後端面で行う場合には、磁気テープカートリッジのドライブ装置への装填、排出に伴ってセンサを移動させる必要が生じドライブ側の機構が複雑で動作の信頼性を確保する点で不利となる。
【０００５】
上記点から、カートリッジケースの底面側から前記ライトプロテクト部材の移動位置を検出できるようにすることが、ドライブ装置のセンサ機構を簡素化できる点で好適であるが、このライトプロテクト部材を移動操作する操作部分はカートリッジケースの側面（例えば後端面）で行えるようにすることが、操作性の点及び表示の点から好ましい。
【０００６】
しかし、上記のようにライトプロテクト部材を側面から操作し、底面で検出できるようにすることは、ライトプロテクト部材を平板状に形成することはできず、その安定した摺動機能を設置スペースとの関係で確保すると共に、磁気記録可能位置及び磁気録不可位置への移動操作における各位置でライトプロテクト部材が確実に停止保持されるようなロック作用と、このロックを解除しつつ安定して移動できるように設ける必要があり、さらに、カートリッジケースに対する良好な組み付け性を確保する必要もある。
【０００７】
特に、前記ライトプロテクト部材を移動操作する場合には、操作部に対してカートリッジケースの内方へ押し込まれるような力も受けることから、停止位置を保持するロック力が大きくなってロック解除が困難となり、操作性が低下する恐れがある。
【０００８】
また、カートリッジケースは高さが比較的大きく、これに応じてライトプロテクト部材の高さも大きくなり、その横方向への摺動をライトプロテクト部材の倒れを防止しつつ安定して得るには工夫を要する。
【０００９】
本発明は上記点に鑑みなされたもので、ライトプロテクト部材の安定した操作性を確保するようにした磁気テープカートリッジを提供せんとするものである。
【課題を解決するための手段】
【００１０】
本発明は、磁気テープを巻装した単一のリールを回転可能に収容した、下ケース及びこの下ケースの上部に重ね合わせる上ケースからなるカートリッジケースを備え、このカートリッジケースに磁気テープへの磁気記録を禁止するためのライトプロテクト部材が摺動自在に配設されてなる磁気テープカートリッジにおいて、前記ライトプロテクト部材は、その摺動本体の外面に、磁気記録可能な第１位置と磁気記録不能な第２位置とに操作する操作部を前記カートリッジケースの一側面に開口する操作窓に臨んで備えていると共に、前記摺動本体の底部に、前記下ケースの底壁に摺動方向に延びて開口する底窓部に挿入されて該底窓部内を移動する突起を備え、前記摺動本体を前記第１位置及び前記第２位置にそれぞれ弾性的に係止する係止手段が前記カートリッジケースと前記摺動本体との間に設けられ、前記カートリッジケースには、前記ライトプロテクト部材の操作部がカートリッジケース内方へ押圧されたときに前記摺動本体の内側面に当接し、この摺動本体が上方へ移動した際には摺動本体の水平壁に当接してこの摺動本体のカートリッジケース内方及び上方への移動量を規制する規制リブが、前記摺動本体の摺動方向に沿って延設されてなることを特徴とするものである。
【００１１】
前記規制リブには、その前後平面部及び左右縁部に勾配が設けられているのが好ましいが、特に前後平面部に勾配が設けられているのが好ましい。
【発明の効果】
【００１２】
本発明によれば、ライトプロテクト部材の摺動本体の外面にカートリッジケースの一側面に開口する操作窓に臨んで磁気記録可能な第１位置と磁気記録不可な第２位置とに操作する操作部を設けて、このライトプロテクト部材を側面から操作可能に設けると共に、摺動本体の底部には下ケースの底壁に開口する底窓部に挿入し該底窓部内を移動する突起を設けて、ケース底面からライトプロテクト部材の位置を検出可能とする一方、摺動本体を第１位置及び第２位置にそれぞれ弾性的に係止する係止手段をカートリッジケースと摺動本体との間に設けたことにより、第１位置及び第２位置にあるライトプロテクト部材の停止位置を確実にロック保持すると共に、前記ライトプロテクト部材の操作部がカートリッジケース内方へ押圧されたときに摺動本体の内側面に当接してこの摺動本体のカートリッジケース内方への移動量を規制する規制リブを、摺動本体の摺動方向に沿って延設したことにより、ライトプロテクト部材を第１位置から第２位置に又は第２位置から第１位置に移動させるべく前記操作部を操作する際に、この操作部をカートリッジケース内方へ押し込むように操作しても、摺動本体の内側面が前記規制リブに当接してライトプロテクト部材の押し込み移動量を規制し、前記係止手段における係合度合が過大となるのを規制して、ロック及びロック解除の安定化を図ることができる。
【発明を実施するための最良の形態】
【００１３】
以下、図面に示す実施の形態に基づいて本発明を詳細に説明する。図１はこの実施の形態の磁気テープカートリッジの分解斜視図である。
【００１４】
磁気テープカートリッジ１は、上ケース２と下ケース３とがビス等により締結されてなるカートリッジケース４内に、先端にリーダピン５が固着された磁気テープ６を巻装した単一のリール７が回動可能に収容されている。上記上下ケース２，３の一側壁には、磁気テープ６を引き出すための開口部１０が形成され、この開口部１０は図示しない弾性手段で閉方向に付勢されたスライドドア１１により開閉される。
【００１５】
また、磁気テープカートリッジ１はその不使用時に磁気テープ６が完全にリール７に巻き込まれた状態で、先端のリーダピン５が開口部１０の近傍に形成された凹状の格納部２０に係止され、このリーダピン５を前記格納部２０に着脱可能に保持する板バネによるロック部材９が設置される。前記リーダピン５は、磁気テープカートリッジ１を使用する記録再生装置のドライブ装置が磁気テープ６を装置内のテープ走行路に導入するために保持して引き込み、磁気テープ６に磁気ヘッドによって磁気記録又は再生を行うものである。
【００１６】
また、前記カートリッジケース４の後端部には、後に詳述する磁気記録禁止用のライトプロテクト部材１３が摺動可能に配設されている。
【００１７】
なお、図１において、上下ケース２，３は略矩形状に形成され、上壁２ａ及び底壁３ａの周囲に側壁２ｂ，３ｂが設けられ、内部にはリール７の外周に沿う円弧状の内壁３ｃ（上ケース２については図示せず）が設けられている。下ケース３は前記側壁３ｂと内壁３ｃとの間に配設された４カ所のボス部３ｄ（開口部１０近傍のボス部はスライドドア１１の背部）を上ケース２のボス部２ｄ（図４参照）と当接させて、底面からビスを締め付けて重ね合わせ状態で締結される。
【００１８】
また、前記下ケース３の中心部にはドライブ装置の駆動軸によって前記リール７を回転駆動するためのセンター穴３ｅが開口され、前記リール７の中心部には、不使用状態におけるリール７の回転を拘束する回転規制機構１５が設けられる。
【００１９】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては前記回転規制機構１５が解除作動してリール７が回転自在とされる。
【００２０】
次にライトプロテクト部材１３及びその設置構造を説明する。図２はライトプロテクト部材設置部の要部正面図、図３は図２のＡ−Ａ断面平面図、図４は図２のＢ−Ｂ断面側面図、図５は図４のＣ−Ｃ断面正面図、図６はライトプロテクト部材が移動した状態の上ケースを除去した要部平面図、図７は下ケースの要部斜視図、図８及び図９はライトプロテクト部材の斜視図である。
【００２１】
前述のように下ケース３と上ケース２との重ね合わせにより形成されるカートリッジケース４の一側面（挿入方向に対する後端面）の端部に、上ケース２及び下ケース３の側壁２ｂ，３ｂに略矩形状の操作窓２１が開口され、この操作窓２１の内部に上下ケース２，３の側壁２ｂ，３ｂに沿って摺動方向Ｄ（左右方向）に摺動自在にライトプロテクト部材１３が配設されている。
【００２２】
前記ライトプロテクト部材１３は、ある程度の摺動方向Ｄの長さと奥行きと高さとを有する摺動本体３０を備え、この摺動本体３０は前記上下ケース２，３の側壁２ｂ，３ｂに沿って摺動方向Ｄに延びる平板状の主壁３１を有し、この主壁３１の外面の略中央部に縦方向に延びるリブ状の操作部３２が設けられている。この操作部３２が前記操作窓２１に臨んで、該操作窓２１内を左右方向に磁気記録可能な第１位置（図２〜図５の状態）と磁気記録不可な第２位置（図６の状態）とに移動操作される。つまり、前記操作窓２１内に位置する操作部３２に指をかけて右方向又は左方向に移動操作する。なお、前記操作窓２１の左右開口縁には、端部に位置する操作部３２に対する指掛けを容易とするために斜面２１ａが形成されている。
【００２３】
また、前記摺動本体３０の主壁３１内面の上部側には水平壁３３が設けられ、該水平壁３３の下方に前記主壁３１の背面から奥方に摺動方向Ｄと略直交する方向に突出する係止片３４が設けられている。
【００２４】
一方、前記カートリッジケース４の下ケース３には操作窓２１が開口した側壁３ｂと平行に摺動方向Ｄに延びるガイド壁２２が設けられ、このガイド壁２２は上部が湾曲するように弾性変形可能である。このガイド壁２２の側面は、前記ライトプロテクト部材１３の第１位置及び第２位置に対応して上下方向に延びる第１係止溝２３及び第２係止溝２４が互いに平行な凹溝状に刻設されている。なお、上記ガイド壁２２は側壁３ｂとほぼ同じ高さに設けられ、操作窓２１が開口した側壁３ｂと直交する側壁３ｂと湾曲形成された内壁３ｃとを連結するように形成されている。
【００２５】
そして、上記ガイド壁２２の第１係止溝２３及び第２係止溝２４には、ライトプロテクト部材１３が前記第１位置及び第２位置にある際に前記係止片３４の先端が係止し、その位置をロック保持するように設けられている。なお、前記係止片３４は前記ガイド壁２２の弾性変形量の大きい上縁部近傍に当接摺動する高さに設けられている。また、ガイド壁２２の上端の縁部には斜面２２ａ（図７参照）が形成されている。
【００２６】
前記摺動本体３０の水平壁３３の下面には主壁３１の裏面に上下方向に立設された第１縦壁３５と第２縦壁３６とが互いに平行に設けられ（図９参照）、その後端面はガイド壁２２の内面に近接して設けられ、第２縦壁３６の途中に前記係止片３４が分割形成されている。この係止片３４は厚みが薄く、先端が水平壁３３、第１縦壁３５及び第２縦壁３６の後端面より突出して形成され、前記係止溝２３，２４と係止する先端は曲面（Ｒ面）に設けられている。
【００２７】
また、前記第１縦壁３５及び第２縦壁３６の前記主壁３１より下方に延びた下端底部には水平方向の底部壁３７が連設され、この底部壁３７の下面に円柱状の突起３８が下方に延びて設けられている。
【００２８】
一方、前記下ケース３の底壁３ａにはライトプロテクト部材１３の摺動方向Ｄに延びる長孔状の底窓部２５が開口され、この底窓部２５に前記突起３８が挿入されて該底窓部２５内を移動する。なお、上記底窓部２５の上端開口部周囲には面取り状に斜面２５ａ（図７参照）が設けられ、前記突起３８の挿入を容易にしている。
【００２９】
また、前記底窓部２５は下ケース３の側壁３ｂに近接して開口され、該下ケース３の側壁３ｂとは反対側（ガイド壁２２側）の底窓部２５に沿う底壁３ａに摺動面２６が設けられ、一方、前記摺動本体３０の底部壁３７の下面には前記突起３８より側方に上記摺動面２６に摺動接触する摺接面３７ａが設けられている。
【００３０】
また、前記ライトプロテクト部材１３の摺動本体３０における前記水平壁３３より上方の主壁３１は厚く形成され、その内側面３１ａは摺動方向に延び、この内側面３１ａの上縁部は斜面３１ｂに形成されている。
【００３１】
一方、前記上ケース２の上壁２ａには摺動本体３０の摺動方向Ｄに沿って延びる規制リブ２７が下方に突設され、この規制リブ２７には、前記摺動本体３０の内側面３１ａが前記操作部３２が押し込まれた際に当接可能である。また、前記摺動本体３０が上方に移動した際には水平壁３３の上面が規制リブ２７の下端面に当接可能で、それぞれ当接した状態でそれ以上の移動が規制される。なお、上記規制リブ２７は、前後平面部には勾配が設けられ（図４参照）、左右縁部にも勾配が設けられている（図５参照）。
【００３２】
上記のようなライトプロテクト部材１３のカートリッジケース４への組み込みは、下ケース３を上向きに載置し、そのガイド壁２２と側壁３ｂとの間のスペースにライトプロテクト部材１３を上方から、その係止片３４を第１係止溝２３（第２係止溝２４でもよい）に係合しつつ、底部の突起３８をケース底壁３ａの底窓部２５内に挿入すると共に操作部３２を操作窓２１内に挿入してセットする。その際、各部の斜面２２ａ，２５ａがライトプロテクト部材１３の挿入を案内し容易化する。続いて、下ケース３上に上ケース２を重ね合わせ締結するものであり、上ケース２の組み付け時にも、斜面３１ｂによる案内を行い、確実な組付けを行う。
【００３３】
本実施形態によれば、ライトプロテクト部材１３が磁気記録可能な第１位置にある場合（図２〜図５）には、係止片３４が第１係止溝２３に係合してライトプロテクト部材１３を第１位置に停止保持するもので、突起３８は底窓部２５の一端部に、操作部３２は操作窓２１の一端部に位置し、このライトプロテクト部材１３が磁気記録可能な第１位置にあることを表示すると共に、ドライブ装置のセンサによって検出し、これに応じて磁気ヘッドによる書き込みを許容制御する。
【００３４】
次に、磁気テープ６に記録した内容を保護するために磁気記録を禁止する場合には、前記ライトプロテクト部材１３を磁気記録不可な第２位置に移動操作するものであり、その際には、操作窓２１内の操作部３２に指を掛けて第２位置に摺動させる。係止片３４の先端は第１係止溝２３に係合している状態から、ガイド壁２２を奥方向に弾性的に変形させつつこの第１係止溝２３から離脱して第２係止溝２４の方向にガイド壁２２の壁面に沿って摺動し、係止片３４の先端が第２係止溝２４の位置に達するとこの第２係止溝２４内に係合する。ガイド壁２２は変形しているものが直線状に戻り、ライトプロテクト部材１３を第２位置に停止保持する。そして、突起３８は底窓部２５の他端部に、操作部３２は操作窓２１の他端部に位置し、このライトプロテクト部材１３が磁気記録不可な第２位置にあることを表示すると共に、ドライブ装置のセンサによって検出し、これに応じて磁気ヘッドによる書き込みを禁止制御する。この第２位置から第１位置にライトプロテクト部材１３を戻す場合は、上記と逆方向に操作する。
【００３５】
また、上記ライトプロテクト部材１３の摺動操作は、操作部３２を単に左右方向に移動するように操作すればよいものであるが、操作部３２が小さく使用者によっては押し込むように力を加えつつ操作される場合があり、その際には、ライトプロテクト部材１３が奥方向に移動するが、その押し込みは摺動本体３０の上部内側面３１ａが上ケース２の規制リブ２７に当接して過大な移動が阻止される。また、上記押し込みに対応して係止片３４がガイド壁２２を押圧することになるが、このガイド壁２２は弾性的に湾曲変形して係止片３４から係止溝２３，２４に作用する押圧力を緩和して係合力の増大を軽減し、係止片３４の係止溝２３，２４からの離脱を容易に行えるようにしてライトプロテクト部材１３が摺動困難となるのを回避して操作性を向上している。
【図面の簡単な説明】
【００３６】
【図１】本発明の一つの実施の形態による磁気テープカートリッジの概略分解斜視図である。
【図２】ライトプロテクト部材近傍の磁気テープカートリッジの要部正面図である。
【図３】図２のＡ−Ａ断面平面図である。
【図４】図２のＢ−Ｂ断面側面図である。
【図５】図４のＣ−Ｃ断面正面図である。
【図６】ライトプロテクト部材が移動した状態の上ケースを除去した要部平面図である。
【図７】下ケースの要部斜視図である。
【図８】ライトプロテクト部材の上方からの斜視図である。
【図９】ライトプロテクト部材の下方からの斜視図である。
【符号の説明】
【００３７】
１    磁気テープカートリッジ
２    上ケース
３    下ケース
４    カートリッジケース
５    リーダピン
６    磁気テープ
７    リール
10    開口部
13    ライトプロテクト部材
21    操作窓
22    ガイド壁
23,24     係止溝
25    底窓部
26    摺動面
27    規制リブ
30    摺動本体
31    主壁
31a   内側面
32    操作部
33    操作壁
34    係止片
37    底部壁
37a   摺接面
38    突起
Ｄ    摺動方向
【図１】
2006079819.tif 000003
【図２】
2006079819.tif 000004
【図３】
2006079819.tif 000005
【図４】
2006079819.tif 000006
【図５】
2006079819.tif 000007
【図６】
2006079819.tif 000008
【図７】
2006079819.tif 000009
【図８】
2006079819.tif 000010
【図９】
2006079819.tif 000011
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
磁気テープを巻装した単一のリールを回転可能に収容した、下ケース及び該下ケースの上部に重ね合わせられた上ケースからなるカートリッジケースを備え、該カートリッジケースに、磁気テープへの磁気記録を禁止するためのライトプロテクト部材が摺動自在に配設されてなる磁気テープカートリッジにおいて、
前記ライトプロテクト部材は、その摺動本体の外面に、磁気記録可能な第１位置と磁気記録不能な第２位置とに操作する操作部を前記カートリッジケースの一側面に開口する操作窓に臨んで備えていると共に、前記摺動本体の底部に、前記下ケースの底壁に摺動方向に延びて開口する底窓部に挿入されて該底窓部内を移動する突起を備え、
前記摺動本体を前記第１位置及び前記第２位置にそれぞれ弾性的に係止する係止手段が前記カートリッジケースと前記摺動本体との間に設けられ、
前記カートリッジケースには、前記ライトプロテクト部材の操作部がカートリッジケース内方へ押圧されたときには前記摺動本体の内側面に当接し、前記摺動本体が上方へ移動した際には該摺動本体の水平壁に当接して、該摺動本体のカートリッジケース内方及び上方への移動量を規制する、前記摺動本体の内側面に対向して該摺動本体の摺動方向に沿って延びる平面部と、該摺動本体の前記水平壁の上面に沿って延びる下縁とを有する規制リブが設けられてなることを特徴とする磁気テープカートリッジ。
【請求項２】
前記規制リブの前後平面部には、該規制リブの厚さが下方へ向かうにつれて減少する態様で勾配が設けられてなることを特徴とする請求項１記載の磁気テープカートリッジ。
【手続補正２】
【補正対象書類名】明細書
【補正対象項目名】００１０
【補正方法】変更
【補正の内容】
【００１０】
本発明は、磁気テープを巻装した単一のリールを回転可能に収容した、下ケース及びこの下ケースの上部に重ね合わせる上ケースからなるカートリッジケースを備え、このカートリッジケースに磁気テープへの磁気記録を禁止するためのライトプロテクト部材が摺動自在に配設されてなる磁気テープカートリッジにおいて、前記ライトプロテクト部材は、その摺動本体の外面に、磁気記録可能な第１位置と磁気記録不能な第２位置とに操作する操作部を前記カートリッジケースの一側面に開口する操作窓に臨んで備えていると共に、前記摺動本体の底部に、前記下ケースの底壁に摺動方向に延びて開口する底窓部に挿入されて該底窓部内を移動する突起を備え、前記摺動本体を前記第１位置及び前記第２位置にそれぞれ弾性的に係止する係止手段が前記カートリッジケースと前記摺動本体との間に設けられ、前記カートリッジケースには、前記ライトプロテクト部材の操作部がカートリッジケース内方へ押圧されたときに前記摺動本体の内側面に当接し、この摺動本体が上方へ移動した際には摺動本体の水平壁に当接してこの摺動本体のカートリッジケース内方及び上方への移動量を規制する、前記摺動本体の内側面に対向して該摺動本体の摺動方向に沿って延びる平面部と、該摺動本体の前記水平壁の上面に沿って延びる下縁とを有する規制リブが設けられてなることを特徴とするものである。
【手続補正３】
【補正対象書類名】明細書
【補正対象項目名】００１１
【補正方法】変更
【補正の内容】
【００１１】
前記規制リブには、その前後平面部及び左右縁部に、該規制リブの厚さおよび幅が下方へ向かうにつれて減少する態様で勾配が設けられているのが好ましいが、特に前後平面部に勾配が設けられているのが好ましい。
【手続補正４】
【補正対象書類名】明細書
【補正対象項目名】００１２
【補正方法】変更
【補正の内容】
【００１２】
本発明によれば、ライトプロテクト部材の摺動本体の外面にカートリッジケースの一側面に開口する操作窓に臨んで磁気記録可能な第１位置と磁気記録不可な第２位置とに操作する操作部を設けて、このライトプロテクト部材を側面から操作可能に設けると共に、摺動本体の底部には下ケースの底壁に開口する底窓部に挿入し該底窓部内を移動する突起を設けて、ケース底面からライトプロテクト部材の位置を検出可能とする一方、摺動本体を第１位置及び第２位置にそれぞれ弾性的に係止する係止手段をカートリッジケースと摺動本体との間に設けたことにより、第１位置及び第２位置にあるライトプロテクト部材の停止位置を確実にロック保持すると共に、前記ライトプロテクト部材の操作部がカートリッジケース内方へ押圧されたときに摺動本体の内側面に当接してこの摺動本体のカートリッジケース内方への移動量を規制する、前記摺動本体の内側面に対向して該摺動本体の摺動方向に沿って延びる平面部と、該摺動本体の前記水平壁の上面に沿って延びる下縁とを有する規制リブを設けたことにより、ライトプロテクト部材を第１位置から第２位置に又は第２位置から第１位置に移動させるべく前記操作部を操作する際に、この操作部をカートリッジケース内方へ押し込むように操作しても、摺動本体の内側面が前記規制リブに当接してライトプロテクト部材の押し込み移動量を規制し、前記係止手段における係合度合が過大となるのを規制して、ロック及びロック解除の安定化を図ることができる。
【手続補正５】
【補正対象書類名】明細書
【補正対象項目名】００３１
【補正方法】変更
【補正の内容】
【００３１】
一方、前記上ケース２の上壁２ａには、前記摺動本体３０の内側面３１ａに対向して該摺動本体３０の摺動方向Ｄに沿って延びる平面部と、摺動本体３０の水平壁３３の上面に沿って延びる下縁とを有する規制リブ２７が垂設され、この規制リブ２７には、前記摺動本体３０の内側面３１ａが前記操作部３２が押し込まれた際に当接可能である。また、前記摺動本体３０が上方に移動した際には水平壁３３の上面が規制リブ２７の下端面に当接可能で、それぞれ当接した状態でそれ以上の移動が規制される。なお、上記規制リブ２７の前後平面部には、規制リブ２７の厚さが下方へ向かうにつれて減少する態様で勾配が設けられ（図４参照）、左右縁部にも、規制リブ２７の幅が下方へ向かうにつれて減少する態様で勾配が設けられている（図５参照）。
【手続補正６】
【補正対象書類名】明細書
【補正対象項目名】００３７
【補正方法】変更
【補正の内容】
【００３７】
１    磁気テープカートリッジ
２    上ケース
３    下ケース
４    カートリッジケース
５    リーダピン
６    磁気テープ
７    リール
10    開口部
13    ライトプロテクト部材
21    操作窓
22    ガイド壁
23,24     係止溝
25    底窓部
26    摺動面
27    規制リブ
30    摺動本体
31    主壁
31a   内側面
32    操作部
33    水平壁
34    係止片
37    底部壁
37a   摺接面
38    突起
Ｄ    摺動方向